【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
撮影された撮影画像を記憶している撮影画像記憶手段と、
この撮影画像記憶手段に記憶されている撮影画像を絵画風画像に変換する画像変換手段と、
複数の電子時刻表示部画像を記憶している電子時刻表示部画像記憶手段と、
前記撮影画像記憶手段に記憶されている撮影画像のうち、時刻を表示する時刻表示部の画像である時刻表示部画像を認識し、この認識した時刻表示部画像と前記時刻表示部の位置を表す座標位置とを対応付けて記憶する画像位置記憶手段と、
この画像位置記憶手段に記憶されている時刻表示部画像を、前記電子時刻表示部画像記憶手段に記憶されている複数の電子時刻表示部画像の中から選択し、この選択された電子時刻表示部画像を前記画像位置記憶手段に記憶されている座標位置に、現在時刻に従って、順次、差替えて、前記絵画風画像を表示させる差替制御手段と、
を備えていることを特徴とする絵画風画像表示装置。
【請求項２】
撮影された撮影画像を記憶している撮影画像記憶手段と、
複数の電子時刻表示部画像を記憶している電子時刻表示部画像記憶手段と、
前記撮影画像記憶手段に記憶されている撮影画像のうち、時刻を表示する時刻表示部の画像である時刻表示部画像を認識し、この認識した時刻表示部画像と前記時刻表示部の位置を表す座標位置とを対応付けて記憶する画像位置記憶手段と、
この画像位置記憶手段に記憶されている時刻表示部画像を、前記電子時刻表示部画像記憶手段に記憶されている複数の電子時刻表示部画像の中から選択し、この選択された電子時刻表示部画像を前記画像位置記憶手段に記憶されている座標位置に、現在時刻に従って、順次、差替える差替制御手段と、
この差替制御手段の制御により差替えられた電子時刻表示部画像と前記撮影画像記憶手段に記憶されている撮影画像とを絵画風画像に変換して、この変換された絵画風画像を表示させる画像表示制御手段と、
を備えていることを特徴とする絵画風画像表示装置。
【請求項３】
前記電子時刻表示部画像記憶手段は、時針と分針とにより現在時刻を表示するアナログ電子時刻表示部画像と、数字により現在時刻を表示するデジタル電子時刻表示部画像との少なくとも一方を記憶していることを特徴とする請求項１または２記載の絵画風画像表示装置。
【請求項４】
前記電子時刻表示部画像記憶手段は、現在時刻を表示するための時針と分針との長さの異なる複数種の電子時刻表示部画像を記憶し、
前記画像位置記憶手段は、前記撮影画像記憶手段に記憶されている撮影画像のうち、時針と分針との長さの比率を判別し、
前記差替制御手段は、前記判別された時針と分針との長さの比率に対応する電子時刻表示部画像を前記電子時刻表示部画像記憶手段から選択することを特徴とする請求項１または２記載の絵画風画像表示装置。
【請求項５】
撮影された撮影画像を記憶している撮影画像記憶手段と、複数の電子時刻表示部画像を記憶している電子時刻表示部画像記憶手段とを備える機器における絵画風画像表示方法であって、
前記撮影画像記憶手段に記憶されている撮影画像を絵画風画像に変換する画像変換ステップと、
前記撮影画像記憶手段に記憶されている撮影画像のうち、時刻を表示する時刻表示部の画像である時刻表示部画像を認識し、この認識した時刻表示部画像と前記時刻表示部の位置を表す座標位置とを対応付けて記憶する画像位置記憶ステップと、
この画像位置記憶ステップで記憶された時刻表示部画像を、前記電子時刻表示部画像記憶手段に記憶されている複数の電子時刻表示部画像の中から選択し、この選択された電子時刻表示部画像を前記画像位置記憶ステップで記憶された座標位置に、現在時刻に従って、順次、差替えて、前記絵画風画像を表示させる差替制御ステップと、
を含むことを特徴とする絵画風画像表示方法。
【請求項６】
撮影された撮影画像を記憶している撮影画像記憶手段と、複数の電子時刻表示部画像を記憶している電子時刻表示部画像記憶手段とを備える機器における絵画風画像表示方法であって、
前記撮影画像記憶手段に記憶されている撮影画像のうち、時刻を表示する時刻表示部の画像である時刻表示部画像を認識し、この認識した時刻表示部画像と前記時刻表示部の位置を表す座標位置とを対応付けて記憶する画像位置記憶ステップと、
この画像位置記憶ステップで記憶された時刻表示部画像を、前記電子時刻表示部画像記憶手段に記憶されている複数の電子時刻表示部画像の中から選択し、この選択された電子時刻表示部画像を前記画像位置記憶ステップで記憶された座標位置に、現在時刻に従って、順次、差替える差替制御ステップと、
この差替制御ステップでの制御により差替えられた電子時刻表示部画像と前記撮影画像記憶手段に記憶されている撮影画像とを絵画風画像に変換して、この変換された絵画風画像を表示させる画像表示制御ステップと、
を含むことを特徴とする絵画風画像表示方法。
【請求項７】
表示部を備えている絵画風画像表示装置において、
撮影された撮影画像を記憶している撮影画像記憶手段と、
この撮影画像記憶手段に記憶されている撮影画像を絵画風画像に変換する画像変換手段と、
この画像変換手段により変換された撮影画像を表示させる撮影画像表示制御手段と、
複数の第１画像を記憶している第１画像記憶手段と、
前記撮影画像記憶手段に記憶されている撮影画像のうち、予め定められた形状の第２画像があるか否を検出し、あったと検出された際は、この第２画像と当該第２画像の位置を表す座標位置とを対応付けて記憶する画像位置記憶手段と、
この画像位置記憶手段に記憶されている第２画像の形状と対応する形状を有する第１画像を前記第１画像記憶手段の中から予め定められている順番に選択し、この選択された各第１画像を前記画像位置記憶手段に記憶されている座標位置と対応する前記撮影画像の位置に、時間の経過に従って、順次、差替えながら表示させる差替制御手段と、
を備えていることを特徴とする絵画風画像表示装置。
【請求項８】
静止画像を絵画風画像に変換し、この変換した絵画風画像中に存在する時計の画像部分に、時刻に従って変化する時計の画像を順次差し替えて合成することにより、時間の経過に従って変化する絵画風画像を得ることを特徴とする絵画風画像表示方法。
【請求項９】
静止画像を絵画風画像に変換する変換手段と、
この変換手段により変換された絵画風画像中に存在する時計の画像部分を認識する認識手段と、
この認識手段により認識された前記時計の画像部分に、時刻に従って変化する時計の画像を順次差し替えて合成する合成手段と、
を有することを特徴とする絵画風画像表示装置。
【手続補正２】
【補正対象書類名】明細書
【補正対象項目名】００１３
【補正方法】変更
【補正の内容】
【００１３】
また、請求項７記載の発明に係る絵画風画像表示装置にあっては、表示部を備えている絵画風画像表示装置において、撮影された撮影画像を記憶している撮影画像記憶手段と、この撮影画像記憶手段に記憶されている撮影画像を絵画風画像に変換する画像変換手段と、この画像変換手段により変換された撮影画像を表示させる撮影画像表示制御手段と、複数の第１画像を記憶している第１画像記憶手段と、前記撮影画像記憶手段に記憶されている撮影画像のうち、予め定められた形状の第２画像があるか否を検出し、あったと検出された際は、この第２画像と当該第２画像の位置を表す座標位置とを対応付けて記憶する画像位置記憶手段と、この画像位置記憶手段に記憶されている第２画像の形状と対応する形状を有する第１画像を前記第１画像記憶手段の中から予め定められている順番に選択し、この選択された各第１画像を前記画像位置記憶手段に記憶されている座標位置と対応する前記撮影画像の位置に、時間の経過に従って、順次、差替えながら表示させる差替制御手段と、を備えていることを特徴とする。
また、請求項８記載の発明に係る絵画風画像表示方法にあっては、静止画像を絵画風画像に変換し、この変換した絵画風画像中に存在する時計の画像部分に、時刻に従って変化する時計の画像を順次差し替えて合成することにより、時間の経過に従って変化する絵画風画像を得ることを特徴とする。
また、請求項９記載の発明に係る絵画風画像表示装置にあっては、静止画像を絵画風画像に変換する変換手段と、この変換手段により変換された絵画風画像中に存在する時計の画像部分を認識する認識手段と、この認識手段により認識された前記時計の画像部分に、時刻に従って変化する時計の画像を順次差し替えて合成する合成手段と、を有することを特徴とする。